(57)【要約】【課題】超音波処置具の汚れがつきやすい処置部を効率よく簡便に洗浄できるようにした超音波処置具の洗浄装置を提供することにある。【解決手段】超音波処置具１の処置部１３を横から差し入れて開いた処置部１３を洗浄位置に位置決めし、上記超音波処置具１を固定するとともに上記処置部１３に向かって洗浄ノズルから洗浄液を噴き付けるようにした洗浄装置である。【選択図】    図１
2004357995.tif 000002
【特許請求の範囲】
【請求項１】
外科用処置具の処置部を配置する洗浄位置を有した洗浄アダプタ部材と、
上記洗浄アダプタ部材に設けられ、上記洗浄位置に外科用処置具の処置部を位置決めする位置決め手段と、
上記外科用処置具に上記洗浄アダプタ部材を着脱自在に固定するアダプタ固定手段と、
上記位置決め手段により洗浄位置に配置した処置部に向かって洗浄液を噴き付ける洗浄ノズルと、
を具備したことを特徴とする外科用処置具の洗浄装置。
【請求項２】
上記位置決め手段は、上記外科用処置具の処置部の開閉する部材を開いた状態で該開いた部材の位置を決める規制部位を有することを特徴とする請求項１に記載の外科用処置具の洗浄装置。
【発明の詳細な説明】
【０００１】
【発明の属する技術分野】
本発明は、処置部を有した外科用処置具を洗浄する装置に関する。
【０００２】
【従来の技術】
特許文献１には、挿入部の先端に処置部を設けた外科用処置具としての超音波処置具が提案されている。外科用超音波処置具は一般に長尺な挿入部としてのシースを備えたハンドルユニットと、このハンドルユニットに装着されるプローブユニットと、このプローブユニットのプローブを駆動する振動子ユニットとを備えている。ハンドルユニットのシース先端には処置部のジョーが回動自在に取り付けられている。このジョーはハンドルユニットのシース内に形成されたロッド用チャンネルに挿通した操作ロッドに連結され、その操作ロッドをハンドルユニットのハンドルによって進退させることにより回動操作される。ハンドルユニットのシース内にはプローブ用チャンネルが形成され、このプローブ用チャンネルにはプローブユニットのプローブが挿通されている。そして、プローブの先端部分は上記ジョーに向き合って対峙し、そのプローブの先端部と開閉自在なジョーとにより組織を把持して超音波により処置する。
【０００３】
【特許文献１】
特開２０００−２９６１３５号公報（第５〜６頁、図６）
【０００４】
【発明が解決しようとする課題】
外科用超音波処置具は、医療器具であるため、使用する都度、洗浄して衛生的な状態に管理しておく必要がある。従来、超音波処置具の洗浄は、流水中でのブラシ洗浄やシャワー洗浄などの簡易な洗浄方法で行なわれてきた。
【０００５】
しかし、このような簡易な洗浄方法では特に複雑な構造である処置部分の洗浄効率が悪く、その処置部の洗浄には多くの手間と長い時間を要し、洗浄作業の能率が悪いものであった。
【０００６】
本発明は上記課題に着目してなされたもので、その目的とするところは、外科用処置具の汚れがつきやすい処置部を効率よく簡便に洗浄できるようにした外科用処置具の洗浄装置を提供することにある。
【０００７】
【課題を解決するための手段】
本発明は、外科用処置具の処置部を配置する洗浄位置を有した洗浄アダプタ部材と、上記洗浄位置に外科用処置具の処置部を位置決めする位置決め手段と、上記外科用処置具に上記洗浄アダプタ部材を着脱自在に固定するアダプタ固定手段と、上記位置決め手段により洗浄位置に配置した処置部に向かって洗浄液を噴き付ける洗浄ノズルとを具備したことを特徴とする外科用処置具の洗浄装置である。
本発明の洗浄装置は、外科用処置具の処置部を洗浄位置に合わせて処置部を簡便に洗浄することができる。
【０００８】
【発明の実施の形態】
図面を参照して本発明の実施形態に係る外科用処置具の洗浄装置について説明する。
【０００９】
まず、洗浄対象としての外科用処置具としては超音波処置具１がある。この超音波処置具１は超音波を利用して生体組織の切開、切除あるいは凝固等の超音波処置を行う超音波処置システムに使用する。
【００１０】
図２４に示すように、超音波処置具１はそれぞれが互いに取外し可能な振動子ユニット２と、プローブユニット３と、ハンドルユニット４と、挿入部としてのシース５を含むシースユニット６の４つのユニットから構成される。
【００１１】
振動子ユニット２の内部には電流を超音波振動に変換する図示しない圧電素子によって超音波振動を発生させるための振動子が組み込まれ、圧電素子は円筒状の振動子カバー７により覆われている。さらに、振動子ユニット２の後端には超音波振動を発生させるための電流を振動子ユニット２に供給するためのコード８が延びている。
【００１２】
また、図２５に示すように、振動子ユニット２の前端にはユニット接続用のアタッチメント１０が固定されている。このアタッチメント１０にはリングの一部が切り欠かれてＣ字型形状に形成された金属製のＣリング１１が取り付けられている。このアタッチメント１０をハンドルユニット４に対して連結することにより振動子ユニット２を着脱可能に取り付けることができるようになっている。
【００１３】
また、振動子カバー７内の図示しない超音波振動子の前端部には超音波振動の振幅を拡大するホーン９の基端部が連結されている。このホーン９の先端部には上記プローブユニット３のプローブ基端をねじ込むためのネジ穴部９ａが形成されている。プローブユニット３のプローブ３ａはその全体の長さが超音波振動の半波長の整数倍になるように設計されている。プローブ３ａの基端部にはホーン９のネジ穴部９ａと螺合するためのネジ部９ｂが設けられている。そして、このネジ部９ｂを振動子ユニット２におけるホーン９のネジ穴部９ａに螺着することによってプローブユニット３と振動子ユニット２とが組み付けられる。
【００１４】
また、プローブユニット３はプローブ（振動伝達部材）３ａの先端部分をストレートな形状に形成してこの先端部分をプローブ先端３ｂとしてある。また、プローブ３ａの軸方向の途中にある振動の節位置の数箇所には弾性部材でリング状に形成されているゴムリング３７が取り付けられている。これらのゴムリング３７によってプローブユニット３とハンドルユニット４との干渉を緩和するようになっている。プローブユニット３におけるプローブ３ａの軸方向における最も基端側に位置する振動の節位置には例えば金属材料によって形成されたフランジ部１２が設けられている。
【００１５】
また、上記シースユニット６の挿入部としてのシース５は手術の際に患者の体腔内へ挿入される部分であって、このシース５の基端部はハンドルユニット４の操作部１６に連結されるようになっている。さらに、図２７に示すように、シース５の先端には処置部１３が設けられている。この処置部１３は生体組織を把持するための先端作用部での処置部構成部材であるジョー１５をシース５の先端に設けてある。ここでのジョー１５はプローブユニット３のストレート形状のプローブ先端３ｂと対応する略ストレート形式のものである。
【００１６】
また、図２９に示すように、シース５は外パイプ１７と、この外パイプ１７の内側に配置される内パイプ１８とからなり、外パイプ１７の外側は絶縁チューブ１４で被覆されている。内パイプ１８の内側には上記プローブユニット３を通すためのプローブ挿通用チャンネル３０が形成され、さらに外パイプ１７と内パイプ１８の間には後述する駆動軸２３を通すためのロッド挿通用チャンネル３１が形成されている。
【００１７】
また、外パイプ１７の先端部分には略円筒状の先端カバー１９の基端部が固定されている。この先端カバー１９の基端部内周面側にはプローブユニット３を先端カバー１９と接触しないように押え付けるパイプ状の押さえ部材３９が取り付けられている。先端カバー１９の先端部には図２７及び図２８に示すように、外パイプ１７の前方に向けて延出する左右一対のジョー支持部１９ａが延設されている。これらのジョー支持部１９ａには図３０（Ｂ）に示すように、２つの支点ピン２１を介して、ジョー１５のジョー本体２０が回動可能に取り付けられている。
【００１８】
また、図３０（Ａ）に示すように、ジョー本体２０にはＰＴＦＥ等の樹脂からなる把持部材４２を保持する把持部取付部材２４がピン４３により一定の角度範囲で回動可能に取り付けられている。図３０（Ｂ）に示すように、ジョー本体２０の後端にはピン２２を介して駆動軸２３の先端部分が連結されている。この駆動軸２３は図２９に示すように、先端カバー１９内を通り、続いてシース５の外パイプ１７と内パイプ１８との間のロッド挿通用チャンネル３１内を通り、操作部１６側まで延出されている。
【００１９】
図２５に示すように、操作部１６には略円筒状の操作部ハウジング１６ａが設けられている。操作部ハウジング１６ａの基端部には振動子接続部１６ｂが形成されている。操作部ハウジング１６ａの外周面には固定ハンドル２７と可動ハンドル２９とが設けられている。ここで、固定ハンドル２７の上側部分は円筒状の操作部ハウジング１６ａと一体成形されている。
【００２０】
図２５に示すように、固定ハンドル２７の上端部には可動ハンドル２９の支点ピン２８がそれぞれ両側面に突き出して設けられている。図２４に示すように固定ハンドル２７と可動ハンドル２９の各下端部はそれぞれの指掛け部２７ａ，２９ａとなっている。この指掛け部２７ａ，２９ａに指をかけて握ることで、支点ピン２８を介して可動ハンドル２９のみを回動する開閉操作がなされる。
【００２１】
さらに、図２５に示すように、可動ハンドル２９には支点ピン２８の近傍部位に操作力伝達用の作用ピン３４が内方向に向けて突設されている。ここで、操作部ハウジング１６ａには作用ピン３４の挿通用の窓１６ｃが形成されている。そして、可動ハンドル２９の作用ピン３４は操作部ハウジング１６ａの窓１６ｃを通って操作部ハウジング１６ａの内部に入り込んでいる。
【００２２】
また、図２５に示すように、操作部ハウジング１６ａの内部には可動ハンドル２９の操作力を駆動軸２３に伝達する操作力伝達機構６２が設けられている。この操作力伝達機構６２は略円筒状のスライダ受け部材４９を備え、このスライダ受け部材４９の外周面には先端部側に略円筒状の駆動力伝達中間部材４８が配設されている。この駆動力伝達中間部材４８はピン５０によりスライダ受け部材４９に取り付けられている。さらに、駆動力伝達中間部材４８の先端部には駆動力伝達ピン４０を介して駆動軸２３の基端部が連結されている。
【００２３】
また、スライダ受け部材４９の基端部の端縁部にはフランジ状のストッパ部４９ａが外向きに略直角に屈曲されている。このスライダ受け部材４９の外周面には基端部側に略リング状のスライダ部材４１が軸方向に摺動可能に装着されている。さらに、スライダ受け部材４９の外周面には駆動力伝達中間部材４８とスライダ部材４１との間に入り込むようにコイルばね５１が一定の装備力量で配設されている。
【００２４】
また、スライダ部材４１の外周面には周方向に沿ってリング状の係合溝４１ａが形成されている。この係合溝４１ａには可動ハンドル２９の作用ピン３４が挿入された状態で係合している。そして、可動ハンドル２９を握り、固定ハンドル２７に対して可動ハンドル２９が開閉操作されると、このときの可動ハンドル２９の回動動作に伴い、作用ピン３４が支点ピン２８を中心に回動し、作用ピン３４に係合しているスライダ部材４１が軸方向に沿って進退移動するようになっている。さらに、スライダ部材４１に、コイルばね５１を介して連結される駆動力伝達中間部材４８も進退動作し、駆動力伝達ピン４０を介して駆動軸２３が進退移動し、ジョー１５のジョー本体２０を回動させるようになっている。
【００２５】
また、このような操作により、ジョー１５の把持部材４２とプローブユニット３のプローブ先端３ｂとの間で生体組織を挟む際にはプローブ先端３ｂの撓みに追従してピン４３を支点として把持部材４２が一定の角度回動して把持部材４２の全長に渡り均一に力が掛かるようになっている。この状態で、超音波を出力することにより、血管等の生体組織の凝固、切開が可能となる。
【００２６】
また、図２５に示すように、超音波処置具１にはジョー１５をプローブユニット３の軸回り方向に回転駆動する回転駆動機構６３が設けられている。この回転駆動機構６３には操作部１６内に配設された円筒状のパイプ固定部材２５を設け、このパイプ固定部材２５の内周面にはシース５の外パイプ１７の基端部を固定している。このパイプ固定部材２５には固定ピン３５を介してツナギ部材４４が固定されている。このツナギ部材４４の先端側には操作部ハウジング１６ａの前端側部分に配置された回転ノブ２６が取り付けられている。ツナギ部材４４の後端部にはプローブユニット３の軸線方向に沿ってガイド溝４４ａが延設されている。このガイド溝４４ａには駆動力伝達中間部材４８の後端部に突設されたピン４６が挿入された状態で係合されている。これによって、駆動力伝達中間部材４８はピン４６によりツナギ部材４４と一体的に軸周り方向に回転可能な状態で連結されている。
【００２７】
また、ツナギ部材４４の中途部には操作部ハウジング１６ａの前端部に回転可能に連結された固定リング４５が固定されている。これにより、パイプ固定部材２５はツナギ部材４４と共に固定リング４５により操作部ハウジング１６ａに対して軸周り方向に回転可能に取り付けられている。
【００２８】
駆動力伝達中間部材４８には腹腔鏡下手術の際の気腹ガス等がシース５の先端から内部隙間を通り漏出することを防止するためのパッキン５６が取り付けられている。パイプ固定部材２５の後端部内周面側と駆動力伝達中間部材４８の内周面側にはプローブユニット３が各部材と直接接触しないように低摩擦係数のＰＴＦＥからなる干渉防止リング５４，５５が配設されている。
【００２９】
また、操作部ハウジング１６ａの後端部には高周波接続ピン６０が後傾させて取り付けられている。この高周波接続ピン６０には図示しない高周波焼灼電源装置より高周波電流を供給するための図示しないアクティブコードが接続されるようになっている。この高周波接続ピン６０の基端部にはアクティブコードを取り付けた状態での電気的安全性を確保するための絶縁カバー６１が取り付けられている。
【００３０】
さらに、操作部ハウジング１６ａの後端部内周面にはネジ穴１６ｄが形成されている。ネジ穴１６ｄには電気接続用のリング状の接続部材３２と、振動子ユニット２との接続用の接続リング３３とがそれぞれ螺着されている。ここで、接続部材３２の先端部は高周波接続ピン６０の基端部と電気的に接続されている。接続部材３２の後端部には振動子ユニット２のアタッチメント１０の内部に挿入される小径な接続円筒部３２ａが形成されている。そして、この接続部材３２の接続円筒部３２ａと、接続リング３３との間には図示しない振動子ユニット係合溝が形成されるようになっている。
【００３１】
なお、接続リング３３の後端部には振動子ユニット２のアタッチメント１０のＣリング１１よりも小径な係合凸部３３ａが形成されている。そして、ハンドルユニット４と振動子ユニット２との連結時には接続部材３２の接続円筒部３２ａと、接続リング３３との間の振動子ユニット係合溝内に振動子ユニット２のアタッチメント１０が挿脱可能に挿入されるようになっている。このとき、Ｃリング１１の弾性変形により接続リング３３の係合凸部３３ａを乗り越えることによりハンドルユニット４と振動子ユニット２とが着脱可能に係合されるようになっている。また、スライダ受け部材４９の基端部側には円形状とは異なる異形穴形状の係合穴部４９ｂが形成されている。この係合穴部４９ｂには対向２ヶ所に平面部４９ｃが形成されている。
【００３２】
このスライダ受け部材４９の係合穴部４９ｂには導電性材料、例えば金属材料によって形成された略円筒状の接点部材（管状部材）５７の先端部側が挿入されている。この接点部材５７の先端部には異形穴形状の係合穴部４９ｂと対応する外側形状部５７ａが形成されている。この接点部材５７の外側形状部５７ａとスライダ受け部材４９の係合穴部４９ｂとの係合部によって両者間が相対的に回転方向に回り止め状態で連結固定されている。
【００３３】
また、接点部材５７の後端部側にはスライダ受け部材４９よりも大径なスリット状の大径部５７ｂが形成されている。この大径部５７ｂの後端部外周部には外向きに屈曲された突起部３６が突設されている。この突起部３６の外径寸法は接続部材３２の接続円筒部３２ａの内径寸法より大きく設定されている。そして、接点部材５７の後端部側の突起部３６は大径部５７ｂのスリット構造により弾性変形した状態で接続部材３２の接続円筒部３２ａの内周面側に圧接される状態で接触されている。
【００３４】
また、接点部材５７の先端側には導電性ゴムからなるリング状の接続ゴム５８が取り付けられている。そして、プローブユニット３と、ハンドルユニット４との連結時にはプローブユニット３の振動の節部付近でこの接点部材５７の接続ゴム５８がプローブユニット３に圧接され、接点部材５７の接続ゴム５８とプローブユニット３とが確実に電気的に接続されるようになっている。
【００３５】
さらに、接続ゴム５８の外周面側には接点部材５７の外側に向けて突起部５９が突設されている。この突起部５９はスライダ受け部材４９の内周面に圧接されて腹腔鏡下手術の際の気腹ガス等がスライダ受け部材４９の内部隙間を通り漏出することを防止するためのパッキンの役目を果たす。
【００３６】
また、接点部材５７の先端部内周面にはプローブユニット３におけるフランジ部１２の係合部が通過可能な対プローブ嵌合受け部である係合穴部５７ｃが形成されている。
【００３７】
そして、上記構成により回転駆動機構６３は回転ノブ２６を回転させると、これに連動してツナギ部材４４と、駆動力伝達中間部材４８と、スライダ受け部材４９とがそれらを順次介して接点部材５７と、プローブユニット３をその軸周りの回転方向に摺動するようになっている。このとき、ツナギ部材４４の回転に伴い、パイプ固定部材２５を介してシース５が軸周り方向に回転し、このシース５と一緒に第１の超音波処置具１のジョー１５が軸回り方向に回転駆動されるようになっている。
【００３８】
また、回転ノブ２６の回転時も接点部材５７の大径部５７ｂの突起部３６は弾性力により接続部材３２と常に接触状態で保持され、電気的に接続されている。そのため、高周波接続ピン６０は接続部材３２、接点部材５７、接続ゴム５８を介してプローブユニット３と電気的に接続状態で保持される。これにより、プローブユニット３の先端部より高周波電流を流して生体組織を処置できる。
【００３９】
以下に、本発明の一実施形態として上述した超音波処置具１における処置部１３を洗浄するための洗浄装置について述べる。
【００４０】
この洗浄装置は超音波処置具１に着脱自在に装着できる洗浄アダプタ部材７０として構成され、図１及び図２に示すように、洗浄カバー部材７１と処置具固定具７２を備える。洗浄カバー部材７１は洗浄装置本体７３を構成するものであって、この洗浄カバー部材７１は上下左右の側壁と前面壁によって後面を開口した箱状に形成したものである。洗浄カバー部材７１はその内部空間によって洗浄室７４を形成している。洗浄カバー部材７１はその左側壁の部分をなくすことにより超音波処置具１を横から出し入れするための開口部としての側方開口部７５が形成されている。この側方開口部７５には開閉用扉７６が設けられ、この扉７６は洗浄カバー部材７１の上壁部にヒンジ７６ａによって支持されている。扉７６を開くと、図２に示すように洗浄室７４内を側方に開放できる。
【００４１】
図２に示すように、洗浄カバー部材７１の前方内壁には超音波処置具１の処置部１３を所定の姿勢で洗浄位置に配置する位置決め手段として台座７７が設けられている。この台座７７はその頂面によってプローブユニット３を取り外したシースユニット６のシース５の先端カバー１９を突き当ててシースユニット６の長手軸方向の位置決めをするストッパ（面）部７８を形成している。すなわち、ストッパ部７８は処置部１３を開いた状態でシース５の先端をストッパ部７８に当てシースユニット６のシース５の前後位置を定める。台座７７の上端縁には開いた処置具１３のジョー１５を沿わせる斜面（規制部）７９が形成され、この斜面７９に沿わせて開いたジョー１５を配置し、開いたジョー１５の開き角度を規制するようになっている。
【００４２】
また、洗浄カバー部材７１内の洗浄位置にジョー１５を開いた状態で超音波処置具１をセットしたとき、そのジョー１５の先端部分は洗浄カバー部材７１の前方壁部に形成された溝状の斜向孔８０内に嵌め込まれて装填される。つまり、この溝状の斜向孔８０の内壁面も開いた状態でのジョー１５の部材の位置を規制する規制部となっている。
【００４３】
しかして、シースユニット６の処置部１３を洗浄カバー部材７１の洗浄室７４内に洗浄位置に位置決めするとき、ジョー１５が開いた状態にあると、ジョー支持部１９ａの先端は台座７７のストッパ部７８に突き当てるか向き合う近接位置に合わせ、ジョー１５の部材を斜面７９に沿わせてセットする（図８参照）。このとき、ジョー１５の先端部分は斜向孔８０内に嵌め込まれる。このようにシースユニット６の処置部１３を洗浄位置に装填するとき、ジョー支持部１９ａの先端が台座７７のストッパ部７８に実際に当たるか近接して向き合うかは超音波処置具１の種類によって相違するが、いずれの形式にあっても使用が可能である。
【００４４】
上記斜向孔８０は図１に示すように、扉７６側の方へ開放しており、洗浄カバー部材７１の扉７６を開いたとき、図２に示すように、斜向孔８０の開放端は側方開口部７５に露出する。この斜向孔８０は図３に示すように、洗浄カバー部材７１の内外に貫通しており、洗浄液排出口としても機能するようになっている。洗浄カバー部材７１の前面壁内面には斜向孔８０に連なる凹部８１が形成され、凹部８１によってジョー１５を洗浄する領域を広げている。
【００４５】
また、洗浄カバー部材７１には複数の洗浄ノズル８２が設けられている。洗浄ノズル８２は異なる向きから洗浄位置に設置した洗浄対象に向けてあり、洗浄ノズル８２にはノズル孔８２ａが設けられている。ノズル孔８２ａの数は一個でもよいが、図４に示すように複数のノズル孔８２ａを直列に並べたものでもよい。また、複数のノズル孔８２ａを設ける場合にあたって、そのノズル孔８２ａの配置や機能は洗浄液を噴き付ける対象の幅や組み立て状況等に応じて選ぶようにするとよい。図５（Ａ）（Ｂ）（Ｃ）は複数のノズル孔８２ａを設ける場合の配置例をそれぞれ示す。
【００４６】
図１に示すように、洗浄カバー部材７１の上下左右にそれぞれ配置された４本の洗浄ノズル８２が設けられ、各洗浄ノズル８２は洗浄カバー部材７１の壁部を貫通する状態で設置されている。上側と左右の洗浄ノズル８２は壁面に垂直に設けられている。下側の洗浄ノズル８２は斜めの向きで設けられ、超音波処置具１の開いたジョー１５の下側からそのジョー１５の下面部の基端側部分からその下面部に沿って洗浄液を噴き付け得る向きで設置されている。すなわち、下側の洗浄ノズル８２は洗浄位置に設置した超音波処置具１の先端カバー１９における左右のジョー支持部１９ａの空間Ｓに向き、その処置部１３のジョー１５の部材、つまり、ジョー本体２０と、これに回動自在に取り付けられた把持部材４２の間の隙間Ｇに向けて設置されている。
【００４７】
左側の洗浄ノズル８２は洗浄カバー部材７１の扉７６に取り付けられ、図２に示すように扉７６を開くと、扉７６と一緒に洗浄カバー部材７１の洗浄室の開放部分から上側へ退避するようになっている。
【００４８】
各洗浄ノズル８２は洗浄する位置にある外科用処置具の処置部の姿勢に合わせて設置されるが、そのノズル孔８２ａの位置または向き等を変える調整機構も併せて設けられている。この調整機構により洗浄しようとする超音波処置具１の処置部１３の種類や形式に合わせてノズル孔８２ａから洗浄対象部位までの距離や向きまたは機能等を調節できる。例えば、洗浄ノズル８２をネジとナット（例えばダブルナット機構）によって取り付ける構成とすればそのナットの締め付け位置を変えて洗浄ノズル８２の取付け位置を変更して洗浄対象部までの距離の調節可能である。また、洗浄ノズル８２自体も異なる形式のものに変更するようにしてもよい。
【００４９】
各洗浄ノズル８２には図示しないチューブ等を介して洗浄システムの図示しない洗浄液タンク等の送液源に接続され、加圧された洗浄液の供給を順次または同時に受けて超音波処置具１の開いたジョー１５に向けて洗浄液を噴き付けるようになっている。例えば、上記洗浄ノズル８２の基端部にルアーロックコネクタを設けても良い。
【００５０】
また、図１に示すように、洗浄カバー部材７１の壁部には超音波処置具１の処置部１３に噴き付けた後の洗浄液を洗浄カバー部材７１の外に排出するための排出窓８５が適宜設けられている。排出窓８５は扉７６を含め、洗浄カバー部材７１の各壁部にそれぞれ設けるとよい。また、上述した洗浄カバー部材７１の前方壁部に形成した溝状の斜向孔８０も排出窓として機能することは前述した。
【００５１】
図１に示すように、洗浄装置本体７３としての洗浄カバー部材７１と処置具固定具７２は装填する超音波処置具１の長手軸方向の別の位置に離れて設置される。上記処置具固定具７２は洗浄カバー部材７１に備えた一対の保持アーム８７に取り付けられている。すなわち、処置具固定具７２は保持アーム８７の先端に取り付けられた支持枠９１に弾性部材９２を取り付けてなり、弾性部材９２には超音波処置具１のシースユニット６のシース５を側方から嵌め込める直線的な溝状の凹部９３が形成されている。弾性部材９２の凹部９３は左側に向いてその全長にわたり開口しており、この開口する向きは上記扉７６を設置した側方開口部７５の開口する向きと同じである。
【００５２】
また、この凹部９３の開口幅は超音波処置具１の部材であるシース５の外径より僅かに狭い。このため、凹部９３内にシース５を嵌め込むと、そのシース５を凹部９３内に弾性的に挟み込んで固定的に保持できる。上記保持用弾性部材９２はゴムや合成樹脂等の材料で形成する。また、弾性部材９２は合成樹脂により支持枠９１と一体に成型したものでもよい。
【００５３】
処置具固定具７２は保持アーム８７に対して着脱交換可能であり、凹部９３内に嵌め込む外科用処置具のシースの径に応じてそれを任意に交換できるようになっている。また、弾性部材９２のみを単独で外科用処置具のシースの径に応じて交換するようにしてもよい。
【００５４】
次に、この洗浄装置７０により超音波処置具１の処置部１３を洗浄する場合について説明する。まず、側方開口部７５の扉７６を開ける。これによって洗浄カバー部材７１内の台座７７及び斜向孔８０の開放端がいずれも側方開口部７５から外部へ露出する（図６参照）。
【００５５】
そこで、扉７６を開いた洗浄カバー部材７１から処置具固定具７２にわたり、それらの横の位置に洗浄しようとする超音波処置具１のシース５を沿わせて略平行に並べる。また、超音波処置具１のジョー１５は予め開いた状態としておく。そして、超音波処置具１の長手方向に交差する横向き方向にその超音波処置具１を横向きのまま横から扉７６を開いた洗浄カバー部材７１から処置具固定具７２にわたり差し入れる。このとき、超音波処置具１の処置具１３の部分を先に洗浄カバー部材７１内に差し入れ、シースユニット６の先端であるジョー支持部１９ａの先端を台座７７のストッパ部７８に当てるか近接して向き合う位置になるように併せながら、ジョー１５の下面を斜面７９及び斜向孔８０に沿わせるようにセットする。この位置決め後に超音波処置具１のシース５の途中部分を処置具固定具７２の凹部９３内に嵌め込み、超音波処置具１を固定する。
【００５６】
これにより、図７及び図８に示すように、シースユニット６のジョー１５は台座７７の斜面７９または斜向孔８０の壁面に沿って所定の角度で傾斜して開いた状態に規制され、同時に前後位置も規制される。このとき、ジョー支持部１９ａの先端は台座７７のストッパ部７８に当たっていても当たらなくてもよい。超音波処置具１のジョー１５を開いた姿勢で最終的に位置を決める機能は台座７７のストッパ部７８、斜面７９及び斜向孔８０のすべてが同時に関与しなくともよいものであり、それでもジョー１５を洗浄位置に位置決めすることができる。
【００５７】
超音波処置具１の装着状態を確認した上で、図９に示すように、扉７６を閉じる。これにより、超音波処置具１のジョー１５の部分には上下左右の洗浄ノズル８２がそれぞれ向く状態になる。
【００５８】
次に、超音波処置具１を装着した洗浄装置７０を、必要ならば、例えば図示しない洗浄機の洗浄ケース内に設置する。そして、図示しないチューブ等を介して図示しない洗浄液タンクから加圧された洗浄液を各洗浄ノズル８２に供給し、超音波処置具１のジョー１５に向けて洗浄液を噴き付け、そのジョー１５を構成する部材を洗浄する。ジョー１５における把持部材４２はジョー本体２０に回動可能に取り付けられているため、その部材間の隙間Ｇ（図３１及び図３２参照）に下側の洗浄ノズル８２が洗浄液を集中的に噴射するので、能率的に洗浄できる。すなわち、下側の洗浄ノズル８２は超音波処置具１の開いたジョー１５の下側から左右一対のジョー支持部１９ａの間の空間Ｓ（図３１及び図３２参照）に向くので、噴射した洗浄液はその空間Ｓを通り、そのジョー１５の部材の隙間Ｇに向けて集中的に洗浄液を噴き付けることができ、ジョー１５の部材及びその部材間の隙間Ｇを効率的に洗浄できる。また、把持部材４２の先端を斜向孔８０の下面に当てジョー１５を位置決めすると、把持部材４２の基端側部分がジョー本体２０から離れる向きに回動し、その隙間Ｇを大きく広がるように設置されるので、上記隙間Ｇの基端側が開き、隙間Ｇの奥まで洗浄液を十分に入り込ませることができる。よって、洗浄効率を一層高め得る。また、斜向孔８０の下には凹部８１が連なって形成しているので、洗浄カバー部材７１の壁部がジョー１５に噴き付ける洗浄液の流れを阻害しない。
【００５９】
この洗浄の際、超音波処置具１のジョー１５付近から洗浄液は洗浄カバー部材７１自体の開口から排出される。さらに、排出窓８５や斜向孔８０からも洗浄カバー部材７１の外へ排出される。したがって、洗浄液が洗浄カバー部材７１内に留まって洗浄作用を妨げない。
【００６０】
この洗浄後、扉７６を開いて超音波処置具１のシース５を嵌め込んだ処置具固定具７２の凹部９３から横へ横向きのまま引き出すようにして超音波処置具１の全体を取り外す。超音波処置具１のジョー１５は開いたままでよい。
【００６１】
本実施形態の洗浄装置７０ではジョー１５を開いた状態のまま洗浄できるので、その洗浄効率がよい。また、本実施形態の洗浄装置７０にあっては超音波処置具１を洗浄カバー部材７１に装着するとき、洗浄カバー部材７１の扉を開き、超音波処置具１のジョー１５の部分を開いたままの姿勢で横向きのまま、洗浄カバー部材７１の横から洗浄室内に入れ、洗浄位置に装填することができる。このため、処置部１３を洗浄アダプタの挿入孔等に先端から差し込む方式とは異なり、ジョー１５を開いたまま容易に出し入れできる。ジョー１５を開いたまま出し入れしても処置部１３の部材を傷めることがない。さらに、超音波処置具１のシース５の途中部分を処置具固定具７２の凹部９３内に横から横向きのまま嵌め込み装着するようにしたので、超音波処置具１のジョー１５を開いたままでも超音波処置具１を簡単に装着できる。また、超音波処置具１の処置部１３を洗浄位置に所定の姿勢で位置決めできる。しかも、側方開口部７５から装填後の処置部１３の姿勢や状態を容易に確認できる。
【００６２】
図１０及び図１１は上記超音波処置具１のシースユニット６の内部を洗浄するアダプタ９０の例を示す。図１１に示すように、洗浄用アダプタ９０は前述した超音波処置具１の操作部ハウジング１６ａの後端部にある接続リング３３に対し組み付けられる口金本体１１６を有してなり、口金本体１１６は上記超音波処置具１のプローブユニット３を取り外したハンドルユニット４に着脱自在に装着されるようになっている。ハンドルユニット４に口金本体１１６を装着させる接続構造は前述した振動子ユニット２の構造と同じ構造でよい。口金本体１１６は外側に位置するパイプ１１７と内側に位置するパイプ１１８の二重管構造からなっている。上記口金本体１１６の先端には内側に位置するパイプ１１７に連通する洗浄パイプ１１９が接続されている。
【００６３】
図１０に示すように、洗浄パイプ１１９はシースユニット６のプローブ挿通用チャンネル３０内に挿通されるものであって、先端が挿入部用シース５の先端に達する長さで形成されている。洗浄パイプ１１９には適当な間隔で複数の開孔９５が形成されており、これらの開孔９５によって洗浄パイプ１１９内をプローブ挿通用チャンネル３０に連通させる。
【００６４】
図１１に示すように、上記口金本体１１６の先端部外周にはＯリング状のシール用パッキン９７が取り付けられており、このパッキン９７は口金本体１１６をハンドルユニット４に装着したとき、プローブ挿通用チャンネル３０の内面との間隙を遮断して口金本体１１６側への洗浄液の逆流を阻止するシール手段となっている。
【００６５】
また、洗浄パイプ１１９の先端は閉塞されており、この洗浄パイプ１１９の先端にはブラシ１０６が接続されている。ブラシ１０６の外径は上記プローブ挿通用チャンネル３０の内径より大きい。
【００６６】
超音波処置具１のプローブユニット３を取り外したハンドルユニット４の操作部１６内に洗浄用アダプタ９０の口金本体１１６を挿入したとき、その口金本体１１６の外側に位置するパイプ１１７の外周には接続ゴム５８の突起部が接合し、この部分で口金本体１１６側への洗浄液の逆流を阻止するシール手段を構成するようになっている。
【００６７】
上記口金本体１１６の内側に位置するパイプ１１８内は洗浄パイプ１１９に連通しており、外側に位置するパイプ１１７と内側に位置するパイプ１１８の間の空間は連通孔９６を通じてパイプ１１７の外側の領域を経てロッド挿通用チャンネル３１に連通するようになっている。そして、内側に位置するパイプ１１８は主チャンネルとしてのプローブ挿通用チャンネル３０に送水するための第１の送水路を形成し、外側に位置するパイプ１１７は副チャンネルとしてのロッド挿通用チャンネル３１に送水するための第２の送水路を形成している。上記口金本体１１６の基端側には第１の送水路に通じる第１の送水口金９８と第２の送水路に通じる第２の送水口金９９が設けられている。
【００６８】
本実施形態の洗浄用アダプタ９０を用いて上記超音波処置具１のシースユニット６内の洗浄は次のようにして行われる。まず、図１０及び図１１に示すように、超音波処置具１のシースユニット６からプローブユニット３を取り外し、シースユニット６のプローブ挿通用チャンネル３０内に洗浄パイプ１１９を基端側から差し込んで挿入し、口金本体１１６を超音波処置具１のハンドルユニット４に装着する。そして、第１の送水口金９８と第２の送水口金９９からそれぞれ洗浄液を注入する。第１の送水口金９８から注入された洗浄液は洗浄パイプ１１９に供給され、複数の開孔９５を経てプローブ挿通用チャンネル３０内に入り込み、プローブ挿通用チャンネル３０内を洗浄する。このプローブ挿通用チャンネル３０内に流れ込んだ洗浄水は洗浄パイプ１１９の先端側へ流れ、プローブ挿通用チャンネル３０の外へ流れ出る。また、洗浄パイプ１１９の先端にはブラシ１０６が付設されているので、洗浄パイプ１１９をプローブ挿通用チャンネル３０に差し込む際や引き抜く際に洗浄することができ、特に洗浄パイプ１１９を前後させながら差し込むと、プローブ挿通用チャンネル３０内をより効率的に洗浄することができる。
【００６９】
また、第２の送水口金９９から注入された洗浄液は連通孔９６を通じて口金本体１１６の外側へ供給され、ロッド挿通用チャンネル３１内に入り込み、そのロッド挿通用チャンネル３１内を洗浄する。ロッド挿通用チャンネル３１内に供給された洗浄水はロッド挿通用チャンネル３１の先端から流出する。
【００７０】
この洗浄用アダプタ９０を用いて上記超音波処置具１のシースユニット６の内部を洗浄する一方、上述した洗浄装置７０を用いてシースユニット６の処置部１３の部分を洗浄することにより、一般に洗浄が難しいとされるシースユニット６を全体的に洗浄することができる。
【００７１】
なお、図１２は上記洗浄用アダプタの変形例であり、この洗浄用アダプタ１００は構造的に見ると、上記洗浄用アダプタ９０における洗浄パイプ１１９及びブラシ１０６を省略すると共に口金本体１１６の内側に位置するパイプ１１８の後端を開放する形態とし、また、送水口金１０１としては外側に位置するパイプ１１７内に連通するものだけとする構成としたものである。
【００７２】
この洗浄用アダプタ１００を用いる場合には同時に図１３に示すような先端アダプタ１０５を用い、シースユニット６のシース５における先端部に装着して使用するようにする。この先端アダプタ１０５は筒状のアダプタ本体１１０を有しており、アダプタ本体１１０の先端にはシースユニット６のシース５の先端部付近を覆う透明なキャップ部１１１が取り付けられている。アダプタ本体１１０の内周面には弾性Ｏリング１１２からなるシール手段が設けられている。さらに、アダプタ本体１１０の基端内面部には弾性部材からなる筒状の押付け用リング１１３が装着されている。この押付け用リング１１３はアダプタ本体１１０の基端部外周にねじ込まれる締結操作用リング１１４の操作によって締め付けられ、または解放されるようになっている。締結操作用リング１１４によって押付け用リング１１３を締め付けると、押付け用リング１１３はシース５の外周に押し当たり固定的に装着される。また、締結操作用リング１１４を緩めると、そのシース５に対する固定的な結合が解除される。
【００７３】
そして、超音波処置具１のシースユニット６を洗浄する場合、ハンドルユニット４の後端部に前述した洗浄用アダプタ１００を取り付けると共に、シース５における先端部には先端アダプタ１０５を装着する。そして、洗浄用アダプタ１００の送水口金１０１から洗浄水を注入し、この注入された洗浄水はロッド挿通用チャンネル３１内に供給され、そのロッド挿通用チャンネル３１内を洗浄する。ロッド挿通用チャンネル３１内を通過した洗浄水は先端アダプタ１０５内に流れ込み、シース５における処置部１３の部材を洗浄する。この後、洗浄水はシースユニット６のプローブ挿通用チャンネル３０内を通り、そのプローブ挿通用チャンネル３０内を洗浄しながら上記洗浄用アダプタ１００の口金本体１１６の内側に位置するパイプ１１８内の空間を通り、そのパイプ１１８の後端開口部から外へ排出される。これによりシースユニット６のロッド挿通用チャンネル３１から処置部１３及びプローブ挿通用チャンネル３０にわたり同時に洗浄することができる。
【００７４】
なお、この洗浄用アダプタ１００の送水口金１０１は口金本体１１６の外側に位置するパイプ１１７内に通じるものであったが、図１４に示すように、口金本体１１６の内側に位置するパイプ１１８内に通じる送水口金１０２だけとし、口金本体１１６の外側に位置するパイプ１１７の基端を外に開口させるように構成したものでもよい。この形式の洗浄用アダプタ１００の場合には洗浄水の流れの経路が先に述べたものとは逆となって先にプローブ挿通用チャンネル３０に流れ込み、先端アダプタ１０５内を通り、ロッド挿通用チャンネル３１内を戻り、外部に排出される。この場合もシースユニット６のプローブ挿通用チャンネル３０から処置部１３及びロッド挿通用チャンネル３１にわたり同時に洗浄することができる。
【００７５】
図１５は超音波処置具１のシースユニット６の処置部１３を洗浄する場合に使用する別の洗浄用アダプタ１２０の例である。この洗浄用アダプタ１２０はアダプタ本体１２１と、このアダプタ本体１２１をシースユニット６のシース５に固定する挿入部固定装置部１２２を備える。挿入部固定装置部１２２は筒状の弾性部材１２３を備え、この弾性部材１２３をシースユニット６のシース５の外周に被せて固定するものである。アダプタ本体１２１はシース５と同軸的に取り付けられる。
【００７６】
アダプタ本体１２１内には水車１２５とブラシ１２６を取り付けた回転軸１２７が２本、アダプタ本体１２１の中心軸に平行な状態で並置されている。各ブラシ１２６は回転するとき、互いに干渉しないようにその間に僅かな隙間を空けて配置されている。シースユニット６のジョー１５はそのブラシ１２６の間に差し込まれて配置される。アダプタ本体１２１の先端壁には排出孔１２８が設けられ、シースユニット６のシース５内を通じてアダプタ本体１２１の内部に供給された洗浄水はその排出孔１２８を通じて排出される。水車１２５はアダプタ本体１２１内を流れる洗浄水の勢いによって回転させられ、このとき、回転軸１２７に取り付けられたブラシ１２６も同時に回転するようになっている。
【００７７】
この洗浄用アダプタ１２０を用いて超音波処置具１のシースユニット６の処置部を洗浄する場合には図１５に示すように、洗浄用アダプタ１２０をシースユニット６の先端部に装着する。図示しない供給アダプタを用いてシースユニット６のシース５内を通じて洗浄水を供給し、そのシース５内を洗浄する。また、シース５の先端から流出した洗浄水はアダプタ本体１２１内でシースユニット６のジョー１５を洗いながら排出孔１２８を通じて排出される。このとき、水車１２５はアダプタ本体１２１内を流れる洗浄水の勢いによって回転し、ブラシ１２６を回転させるため、シースユニット６のジョー１５はその回転するブラシ１２６で洗うことができる。なお、アダプタ本体１２１は透明であり、シースユニット６の装着状態や洗浄状態を外から見て確認できる。
【００７８】
図１６は上記洗浄用アダプタ１２０の変形例である。この変形例はアダプタ本体１２１の先端壁の周辺部位に複数の排出孔１２８を回転するブラシ１２６の位置に対応して形成してあり、また、アダプタ本体１２１の先端外壁には第２の水車１２９を固定的に設けたものである。アダプタ本体１２１は挿入部固定装置部１２２に対して軸受部１３０を介して回転自在に取り付けられている。また、第２の水車１２９は複数の排出孔１２８から排出する洗浄水の流れを受けて回転するようになっており、その第２の水車１２９の回転力によってアダプタ本体１２１自体を回転するようになっている。
【００７９】
したがって、各ブラシ１２６が自転するだけでなく、アダプタ本体１２１と一緒にジョー１５の回りを公転するので、各ブラシ１２６によりジョー１５を洗浄する効果が高まる。
【００８０】
図１７は他の洗浄用アダプタ１３１の例を示すものである。この例の洗浄用アダプタ１３１は先に示した図１５での洗浄用アダプタ１２０の構成にあって、特にアダプタ本体１２１の外周囲に洗浄水をブラシ部へ供給する供給路１３２と多数の噴出口１３３を形成したものである。すなわち、アダプタ本体１２１内に同軸的に配置された筒状体１３４の外周とアダプタ本体１２１の内面との間によって供給路１３２を形成し、供給路１３２に連通する噴出口１３３は筒状体１３４に形成するようにした。また、アダプタ本体１２１にはその供給路１３２に通じる複数の供給口金１３５を接続した。
【００８１】
この洗浄用アダプタ１３１によれば、各ブラシ１２６の回転と同時に周囲の噴出口１３３から洗浄水を噴出させるので、シースユニット６の処置部１３を洗浄する効果をさらに高める。また、噴出口１３３から噴出する洗浄水をブラシ１２６の周辺部へ当てるようにすれば、ブラシ１２６の回転を補助することができる。
【００８２】
図１８はさらに他の洗浄用アダプタ１４０の例を示すものである。この洗浄用アダプタ１４０は筒状のアダプタ本体１４１と、このアダプタ本体１４１をシースユニット６のシース５に固定する挿入部固定装置部１４２を備える。挿入部固定装置部１４２は筒状の弾性部材１４３を有しており、この弾性部材１４３をシースユニット６のシース５の外周に被せて固定リング１４４により弾性部材１４３を締め付けて固定する。アダプタ本体１４１にはパイプ状のブラシ保持枠１４５の基端部分が摺動自在に嵌め込まれ、このブラシ保持枠１４５はシースユニット６の軸方向に沿って移動できるようになっている。また、ブラシ保持枠１４５の内部にはブラシ１４６が付設されている。
【００８３】
ブラシ保持枠１４５の先端部とアダプタ本体１４１の間には弾性部材１４７が架設されている。ブラシ保持枠１４５は前後に移動自在であるが、弾性部材１４７の弾性力によって元の位置に戻す向きに付勢されている。
【００８４】
アダプタ本体１４１には噴出口１４８を備えた供給路１４９が形成されている。噴出口１４８は弾性部材１４７の先端部付近の壁面からなる噴射受け面１５１に向いており、噴出口１４８と噴射受け面１５１の間に噴射加圧領域１５２を形成している。
【００８５】
アダプタ本体１４１には上記供給路１４９に連通した供給口金１５４が設けられている。この供給口金１５４には図示しない供給チューブ等が接続され、洗浄水等の液体の供給を受け、上記噴出口１４８に液体を送るようになっている。
【００８６】
このような洗浄用アダプタ１４０を用いて超音波処置具１のシースユニット６の処置部１３を洗浄する場合はまず、図１８に示すように、洗浄用アダプタ１４０をシースユニット６に装着する。この装着時において、シースユニット６のジョー１５はブラシ保持枠１４５内のブラシ１４６に差し込まれた状態にある。
【００８７】
また、ブラシ保持枠１４５内への洗浄水の供給は上述したような手段によってシースユニット６のシース５内を通じて行うようにする。
そして、供給路１４９に水を供給すると、供給された水は噴出口１４８から勢いよく噴出して弾性部材１４７の噴射受け面１５１に当たり、その噴射圧力によってブラシ保持枠１４５を図１８（Ａ）に示す実線位置から図１８（Ｂ）に示す点線位置まで前進させる。このようにブラシ保持枠１４５が前進すると、その前進した結果、噴出口１４８から噴出した水の圧力が弱まり、弾性部材１４７の弾性力の方が強くなってブラシ保持枠１４５は元の実線位置に戻されるようになる。また、ブラシ保持枠１４５が元の実線位置に戻されると、再び弾性部材１４７の噴射受け面１５１に当たる水の噴射圧力の方が相対的に高まり、ブラシ保持枠１４５を前進させる。このようにしてブラシ保持枠１４５は前進と後退を繰り返し、ブラシ保持枠１４５内のブラシ１４６に差し込まれていたシースユニット６のジョー１５をブラシ１４６で擦り、効率的なブラッシング洗浄を行う。
【００８８】
図１９乃至図２３は他の形式に係る洗浄システムを示す。この洗浄システムにおいては図１９に示すように超音波処置具１全体を設置する洗浄ケース１６１を備える。この洗浄ケース１６１の底面には超音波処置具１の操作部を位置決め固定する操作部固定装置部１６２と、洗浄用アダプタ１６３を装着する溝１６５が設けられている。操作部固定装置部１６２は固定ハンドル２７と可動ハンドル２９のそれぞれの指掛け部２７ａ，２９ａに係着する複数の係止具１６７によって構成される。また、洗浄用アダプタ１６３を装着する溝１６５は洗浄用アダプタ１６３を嵌め込み、着脱位置と洗浄位置に移動させることができるようになっている。
【００８９】
上記洗浄用アダプタ１６３は図２０及び図２１に示した筒状体１７１を有してなり、筒状体１７１の前端と後端にはその筒状体１７１の開口をそれぞれ塞ぐ前端板１７２と後端板１７３を取り付けて全体として洗浄領域を包囲する洗浄カバー１７４を構成している。図２１に示すように、前端板１７２と後端板１７３は筒状体１７１にねじ込み、着脱自在に取り付けられている。
【００９０】
上記後端板１７３には上記外科用処置具のシース先端部分に係着して、上記洗浄カバー１７４を上記外科用処置具に保持させる固定手段が設けられている。この固定手段は上記超音波処置具１のシース５を挿通する保持筒１７５を備える。この保持筒１７５は上記洗浄カバー１７４と同軸的に配置され、上記超音波処置具１のシース５を挿通するようになっている。保持筒１７５は前端を後端板１７３にねじ込み固定されている。保持筒１７５の内周には弾性チューブ１７６が嵌め込まれている。この弾性チューブ１７６を保持筒１７５内に組み付け、必要に応じて接着することにより、弾性チューブ１７６を保持筒１１５に固定している。図２１に示すように、上記超音波処置具１のシース５を保持筒１７５内に挿通すると、シース５の外周に弾性チューブ１７６が圧接し、シース５に係着することができる。
【００９１】
上記洗浄カバー１７４の前端板１７２には供給口金１８１が洗浄カバー１７４と同軸的に配置して設けられ、供給口金１８１は前端板１７２にねじ込むことにより取り付けられている。供給口金１８１には送水源に通じる図示しない送水チューブ等の供給管路手段が接続される。供給口金１８１の内端は洗浄カバー１７４内の洗浄領域に向けて開口した送水口１８２を形成する。そして、供給口金１８１と保持筒１７５を洗浄カバー１７４の中心軸上に配置してなり、保持筒１７５による保持中心軸と送水口１８２の噴出方向が一致する。
【００９２】
上記洗浄カバー１７４の筒状体１７１、前端板１７２及び後端板１７３にはそれぞれ排出口１８５が形成されており、これらの排出口１８５によって洗浄カバー１７４内の洗浄領域に溢れた洗浄水を洗浄カバー１７４の外へ排出する。
【００９３】
次に、本洗浄システムを使用する場合の洗浄方法を説明する。まず、図２２に示すように、洗浄ケース１６１内に超音波処置具１を位置決め設置し、操作部固定装置部１６２によってハンドルユニット４のバンドル部分を固定する。また、超音波処置具１のシース５の先端は溝１６５に位置する。
【００９４】
図２２に示すように、洗浄用アダプタ１６３を洗浄ケース１６１の底に設けた溝１６５の着脱位置に嵌め込み、洗浄用アダプタ１６３を着脱位置から洗浄位置に移動させる。すると、図２３に示すように、シースユニット６におけるシース５の先端部分が保持筒１７５内に差し込まれ、ジョー１５の部分は図２１に示すように洗浄カバー１７４内の洗浄領域に位置決めさせられる。
【００９５】
そこで、送水源に通じる送水チューブ等の供給管路手段を通じて供給口金１８１の内端に開口した送水口１８２から洗浄カバー１７４内の洗浄領域に向けて高圧の洗浄水をジョー１５に向けて噴き付けられる。このようにジョー１５には高圧の洗浄水が勢いよく噴き付けられるので、強力な汚れでも容易に落とすことができる。また、洗浄カバー１７４内に溢れた洗浄水は排出口１８５を通じて外へ排出される。
【００９６】
この洗浄用アダプタ１６３を装着した超音波処置具１を載せた洗浄ケース１６１ごと、洗浄機に設置し、超音波処置具１の外観部分もシャワー洗浄や流水中に晒して同時に洗浄することができる。
【００９７】
なお、本発明にあっては、処置部の部材が左右に開く形式等の外科用処置具の場合にはそれの形に合わせて位置決め手段や洗浄ノズルを設定すればよいことはもちろんである。また、本発明は、上記実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を構成できる。例えば、上記実施形態に示される全構成要素から幾つかの構成要素を削除してもよい。更に、異なる実施形態に亘る構成要素を適宜組み合せて構成してもよい。また、上記説明によれば、以下の付記に示す各事項及び各事項を任意に組み合わせた事項のものが得られる。
【００９８】
＜付記＞
１．外科用処置具の処置部を配置する洗浄位置を有した洗浄アダプタ部材と、
上記洗浄アダプタ部材に設けられ、上記洗浄位置に外科用処置具の処置部を位置決めする位置決め手段と、
上記洗浄アダプタ部材に上記外科用処置具を着脱自在に固定するアダプタ固定手段と、
上記位置決め手段により洗浄位置に配置した処置部に向かって洗浄液を噴き付ける洗浄ノズルと、
を具備したことを特徴とする外科用処置具の洗浄装置。
【００９９】
２．上記位置決め手段は、上記外科用処置具の処置部の開閉する部材を開いた状態で該開いた部材の位置を決める規制部位を有することを特徴とする付記項１に記載の外科用処置具の洗浄装置。
【０１００】
３．上記位置決め手段の規制部位は、該開いた部材を沿わせる斜面部であることを特徴とする付記項２に記載の外科用処置具の洗浄装置。
【０１０１】
４．上記位置決め手段の規制部位は、該開いた部材を沿わせる溝であることを特徴とする付記項２に記載の外科用処置具の洗浄装置。
【０１０２】
５．上記位置決め手段は、上記処置部の開いた状態での外科用処置具の挿入部先端を受けて上記外科用処置具の長手軸方向の位置を決めるストッパ部を有することを特徴とする付記項１〜５のいずれかに記載の外科用処置具の洗浄装置。
【０１０３】
６．上記洗浄アダプタ部材は、上記洗浄位置付近を囲む洗浄カバー部材を有することを特徴とする付記項１に記載の外科用処置具の洗浄装置。
【０１０４】
７．上記洗浄カバー部材は、側方に開口部を備え、上記洗浄位置に処置部を含む外科用処置具の先端部を上記開口部から出し入れするようにしたことを特徴とする付記項６に記載の外科用処置具の洗浄装置。
【０１０５】
８．上記開口部は、扉を備え、上記扉には、洗浄位置に設置された処置部に向かって洗浄液を噴き付ける洗浄ノズルを設けたことを特徴とする付記項７に記載の外科用処置具の洗浄装置。
【０１０６】
９．上記位置決め手段は、外科用処置具の長手方向に交差する横向き方向から洗浄位置に処置部の部材を装填するようにしたことを特徴とする付記項１に記載の外科用処置具の洗浄装置。
【０１０７】
１０．上記位置決め手段は、洗浄位置に開いた処置部の部材の位置を決める規制部位を有し、処置部の部材を開いたまま、上記洗浄位置に装填するようにしたことを特徴とする付記項９に記載の外科用処置具の洗浄装置。
【０１０８】
１１．上記洗浄アダプタ部材は、上記洗浄位置付近を囲む洗浄カバー部材を備え、上記洗浄カバー部材には、外科用処置具の処置部を含む先端部を横向きにして出し入れする開口部を有し、上記開口部には、扉を備えることを特徴とする付記項１０に記載の外科用処置具の洗浄装置。
【０１０９】
１２．上記固定手段は、上記洗浄カバー部材とは、装填する超音波処置具の長手軸方向の別の位置に設置したことを特徴とする付記項１に記載の外科用処置具の洗浄装置。
【０１１０】
１３．上記固定手段は、上記外科用処置具の部材を横むきで嵌め込む凹部を備え、上記凹部は、弾性部材により形成されることを特徴とする付記項１または付記項１２に記載の外科用処置具の洗浄装置。
【０１１１】
１４．上記固定手段は、上記外科用処置具の部材を横から嵌め込む凹部を備え、上記外科用処置具の部材を嵌め込む凹部の開口する向きと、上記外科用処置具を出し入れする上記洗浄カバー部材の開口部の開口する向きが同じであることを特徴とする付記項６，７，８，１１に記載の外科用処置具の洗浄装置。
【０１１２】
１５．上記洗浄ノズルの少なくとも１つのノズル口が、開いた処置部の部材の開き角度と略同じ角度で上記部材に向けたものであることを特徴とする付記項１に記載の外科用処置具の洗浄装置。
【０１１３】
１６．上記洗浄ノズルの噴出位置を調整する機構を備えたことを特徴とする付記項１に記載の外科用処置具の洗浄装置。
【０１１４】
１７．上記洗浄ノズルの噴出位置を調整する機構は、ネジ式であることを特徴とする付記項１６に記載の外科用処置具の洗浄装置。
【０１１５】
１８．上記洗浄部材は、洗浄液の排出口を備えたことを特徴とする付記項１，７，８に記載の外科用処置具の洗浄装置。
【０１１６】
１９．上記洗浄ノズルは、少なくとも１つのものが複数のノズル孔を備えたことを特徴とする付記項１に記載の外科用処置具の洗浄装置。
【０１１７】
２０．処置部が回動するジョーと、このジョーに枢着された回動部材を備えた外科用処置具を対象とすることを特徴する付記項１乃至付記項１６のうち１つのものに記載の外科用処置具の洗浄装置。
【０１１８】
【発明の効果】
以上説明したように、本発明によれば、汚れのつき易い処置部を効率よく洗浄できると共に、外科用処置具の処置部を洗浄位置に合わせて外科用処置具の処置部を簡便に洗浄することができる。
【図面の簡単な説明】
【図１】本発明の実施形態に係る超音波処置具を洗浄する洗浄装置の斜視図。
【図２】同じくその洗浄装置の扉を開いた状態での斜視図。
【図３】同じくその洗浄装置の扉を開いた状態での側面図。
【図４】同じくその洗浄装置の洗浄ノズルの斜視図。
【図５】同じくその洗浄装置の各種洗浄ノズルを示す正面図。
【図６】同じくその洗浄装置の扉を開いて超音波処置具を装着する直前状態の斜視図。
【図７】同じくその洗浄装置の扉を開いて超音波処置具を装着した状態の斜視図。
【図８】同じくその洗浄装置の扉を開いて超音波処置具を装着した状態の側面図。
【図９】同じくその洗浄装置の超音波処置具を装着し終わった状態の斜視図。
【図１０】超音波処置具のシースユニット内に洗浄アダプタを装着したシースユニット部分の縦断面図。
【図１１】洗浄アダプタを超音波処置具のシースユニット内に装着したハンドルユニット部分の縦断面図。
【図１２】（Ａ）は他の洗浄アダプタを超音波処置具のシースユニット内に装着したハンドルユニット部分の縦断面図、（Ｂ）は（Ａ）中Ｂ−Ｂ線に沿う部分の横断面図。
【図１３】（Ａ）は超音波処置具のシースユニットの先端部に先端アダプタを装着した状態での縦断面図、（Ｂ）は（Ａ）中Ｂ−Ｂ線に沿う部分の横断面図。
【図１４】他の形態の洗浄用アダプタを装着したシースユニットの付近の縦断面図。
【図１５】超音波処置具のシースユニットの処置部を洗浄する洗浄アダプタの装着状態の縦断面図。
【図１６】超音波処置具のシースユニットの処置部を洗浄する他の形態の洗浄アダプタの装着状態の縦断面図。
【図１７】超音波処置具のシースユニットの処置部を洗浄する更に他の形態の洗浄アダプタの装着状態の縦断面図。
【図１８】（Ａ）は超音波処置具のシースユニットの処置部を洗浄する洗浄アダプタの装着状態の上から見る縦断面図、（Ｂ）は超音波処置具のシースユニットの処置部を洗浄する洗浄アダプタの装着状態の横から見る縦断面図、（Ｃ）は超音波処置具のシースユニットの処置部を洗浄する洗浄アダプタの装着状態の正面図。
【図１９】洗浄システムに使用する洗浄ケースの平面図。
【図２０】上記洗浄システムに使用する洗浄アダプタの正面図。
【図２１】上記洗浄システムにおいて超音波処置具のシースユニットに装着した洗浄アダプタの縦断面図。
【図２２】超音波処置具のシースユニットに洗浄アダプタを装着する直前の状態の洗浄ケースの平面図。
【図２３】超音波処置具のシースユニットに洗浄アダプタを装着した状態での洗浄ケースの平面図。
【図２４】超音波処置具全体の側面図。
【図２５】上記超音波処置具の操作部の縦断面図。
【図２６】（Ａ）は上記超音波処置具のシースユニットの側面図、（Ｂ）は上記超音波処置具のシースユニットの下面図。
【図２７】上記超音波処置具のシースユニットの開いた状態の処置部の側面図。
【図２８】上記超音波処置具のシースユニットの開いた状態の処置部の下面図。
【図２９】上記超音波処置具のシースユニットの処置部の縦断面図。
【図３０】（Ａ）は図３０中Ａ−Ａ線に沿う部分の縦断面図、（Ｂ）は図３０中Ｂ−Ｂ線に沿う部分の縦断面図。
【図３１】上記超音波処置具のシースユニットのシース先端部の説明図。
【図３２】上記超音波処置具のシースユニットのシース先端部の説明図。
【図３３】他の超音波処置具のシースユニットのシース先端部の平面図。
【符号の説明】
１…超音波処置具
５…シース
６…シースユニット
１３…処置具
４２…把持部材
７０…洗浄装置
７２…処置具固定具
７３…洗浄部材
７４…洗浄室
７５…側方開口部
７６…開閉用扉
７７…台座
７８…ストッパ部
７９…斜面
８０…斜向孔
８１…凹部
８２…洗浄ノズル
８５…排出窓
９１…支持枠
９２…保持用弾性部材
９３…凹部
９５…開孔
【図１】
2004357995.tif 000003
【図２】
2004357995.tif 000004
【図３】
2004357995.tif 000005
【図４】
2004357995.tif 000006
【図５】
2004357995.tif 000007
【図６】
2004357995.tif 000008
【図７】
2004357995.tif 000009
【図８】
2004357995.tif 000010
【図９】
2004357995.tif 000011
【図１０】
2004357995.tif 000012
【図１１】
2004357995.tif 000013
【図１２】
2004357995.tif 000014
【図１３】
2004357995.tif 000015
【図１４】
2004357995.tif 000016
【図１５】
2004357995.tif 000017
【図１６】
2004357995.tif 000018
【図１７】
2004357995.tif 000019
【図１８】
2004357995.tif 000020
【図１９】
2004357995.tif 000021
【図２０】
2004357995.tif 000022
【図２１】
2004357995.tif 000023
【図２２】
2004357995.tif 000024
【図２３】
2004357995.tif 000025
【図２４】
2004357995.tif 000026
【図２５】
2004357995.tif 000027
【図２６】
2004357995.tif 000028
【図２７】
2004357995.tif 000029
【図２８】
2004357995.tif 000030
【図２９】
2004357995.tif 000031
【図３０】
2004357995.tif 000032
【図３１】
2004357995.tif 000033
【図３２】
2004357995.tif 000034
【図３３】
2004357995.tif 000035